(57)【要約】  【課題】      合理的で熱交換を行って外気を冷却または加熱することにより、冷房および／または暖房の効率を引き上げることができる自然熱利用システムを提供すること。  【解決手段】  雑用水槽１１と、この雑用水槽１１内に配置されたダクト１８Ａと、外気ＯＡをダクト１８Ａ内に通すことにより雑用水槽１１内の雑用水Ｗｂとの間で熱交換を行わせる熱交換機能部３とを有する。  【選択図】    図１
2006170456.tif 000002
【特許請求の範囲】
【請求項１】
雑用水槽と、この雑用水槽内に配置されたダクトと、外気をダクト内に通すことにより雑用水槽内の雑用水との間で熱交換を行わせる熱交換機能部とを有することを特徴とする自然熱利用システム。
【請求項２】
雑用水槽と、この雑用水槽内に配置されたダクトと、外気をダクト内に雑用水の流れと対向する方向に通すことにより雑用水槽内の雑用水との間で効率的な熱交換を行わせる熱交換機能部とを有することを特徴とする自然熱利用システム。
【請求項３】
建築物の基礎部分に設けられた地下ピットを用いた雑用水槽と、この雑用水槽内に配置されたダクトと、外気をダクト内に通すことにより雑用水槽内の雑用水との間で熱交換を行わせる熱交換機能部とを有することを特徴とする自然熱利用システム。
【請求項４】
建築物の基礎部分に設けられた地下ピットを用いた雑用水槽と、この雑用水槽内に配置されたダクトと、外気をダクト内に雑用水の流れと対向する方向に通すことにより雑用水槽内の雑用水との間で効率的な熱交換を行わせる熱交換機能部とを有することを特徴とする自然熱利用システム。
【請求項５】
外気を前記雑用水槽内のダクト内に通すことなく取り入れるための非熱交換流路を備え、前記熱交換機能部が、雑用水および外気の温度を測定する温度測定部と、この測定された雑用水および外気の温度を比較して前記熱交換が有用でないときには外気を非熱交換流路に通すように切り換える流路切換部とを備えてなる請求項１〜４の何れかに記載の自然熱利用システム。
【発明の詳細な説明】
【技術分野】
【０００１】
本発明は、自然界に存在する未利用エネルギーとして、冷熱源を含む熱源を利用して空調機器の効率を向上させることを可能とする自然熱利用システムに関する。
【背景技術】
【０００２】
従来より地下水や土壌などを熱源（冷熱源）として利用して、冷房や暖房の効率を改善することが行われている。地下水の熱の利用方法としては井戸水や温泉などの地下水を汲み上げた後に、この地下水を床下や壁面や天井などに配置したパイプ内に通して室内を冷却または暖房することが行われている。また、土壌の熱の利用法としては内部に外気を通すための通気管をクールチューブまたはホットチューブとして土中に埋設させて、取り入れた外気を土壌の熱によって冷却または加熱することが行われている。
【０００３】
ところが、土壌の熱を利用するために通気管を埋設するためには掘削作業が必要であり、施工コストが引き上げられるという問題があった。地下水を活用して冷房や暖房の効率を改善する方法は、井戸水や温泉などの地下水が湧出する地域においては有用であるが、このような地下水を利用できない地域には適用できないという問題がある。すなわち、都心部などでは地下水の利用が規制されていたり、全く利用できないことがあるという問題があった。
【０００４】
特許文献１には室外の土中に配置された雨水槽内へ雨水を貯留し、雨水槽内へ室外または床下から空気を循環させて、これを雨水によって冷却させることが記載されている。
【特許文献１】特開２０００−１６１７００号公報
【発明の開示】
【発明が解決しようとする課題】
【０００５】
しかしながら、特許文献１に示すような構成では、建物の外部に冷却用の雨水を貯留するために雨水槽を形成する必要があり、この雨水槽を設置するために多大の工事費が必要となるという問題があった。また、雨水の量は天候によって大いに左右されるので、安定した冷却を行なうためには、より大きな雨水槽を形成する必要があり、それだけ設置工事にかかるコストが引き上げられるという問題もある。
【０００６】
特に、外気の冷却が最も必要となる盛夏季に降水量が少なくなる地域が多く、とりわけ外気温度が高くなる晴天時に雨水槽に貯留している水だけでは十分な熱交換を行なうことは極めて困難であり、冷却効率が激減するという問題もある。さらに、雨水の温度は基本的に外気温度と同じであるから、これをそのまま用いるだけでは冷却効果がないという問題もあった。（丸善株式会社発行『理科年表  平成１７年（平成１６年１１月３０日発行）』の「降水量の半旬別平年値」気１８，１９を参照）
【０００７】
加えて、雨水槽のように外気や路面などによって汚染された水を貯留するような場合、衛生面の問題もあるのでこの貯水槽内を定期的に洗浄する必要が生じ、雨水槽を比較的容易にメンテナンスできる程度に浅い位置に形成する必要が生じる。また、雨水槽の設置工事費を抑えるためにも雨水槽の設置位置は浅くならざるを得なかった。ところが、雨水槽の位置が地表に近ければ近いほど雨水槽内の水が外気の温度変化による影響を受けやすく、外気を取り入れるときにこの雨水槽内の水と熱交換することによる効果が小さくなるという問題もあった。
【０００８】
本発明は上述の事柄を考慮に入れてなされたものであって、その目的は、合理的で熱交換を行って外気を冷却または加熱することにより、冷房および／または暖房の効率を引き上げることができる自然熱利用システムを提供することである。
【課題を解決するための手段】
【０００９】
上記目的を達成するために、第１発明の自然熱利用システムは、雑用水槽と、この雑用水槽内に配置されたダクトと、外気をダクト内に通すことにより雑用水槽内の雑用水との間で熱交換を行わせる熱交換機能部とを有することを特徴としている（請求項１）。
【００１０】
第２発明の自然熱利用システムは、雑用水槽と、この雑用水槽内に配置されたダクトと、外気をダクト内に雑用水の流れと対向する方向に通すことにより雑用水槽内の雑用水との間で効率的な熱交換を行わせる熱交換機能部とを有することを特徴としている（請求項２）。
【００１１】
第３発明の自然熱利用システムは、建築物の基礎部分に設けられた地下ピットを用いた雑用水槽と、この雑用水槽内に配置されたダクトと、外気をダクト内に通すことにより雑用水槽内の雑用水との間で熱交換を行わせる熱交換機能部とを有することを特徴としている（請求項３）。
【００１２】
第４発明の自然熱利用システムは、建築物の基礎部分に設けられた地下ピットを用いた雑用水槽と、この雑用水槽内に配置されたダクトと、外気をダクト内に雑用水の流れと対向する方向に通すことにより雑用水槽内の雑用水との間で効率的な熱交換を行わせる熱交換機能部とを有することを特徴としている（請求項４）。
【００１３】
外気を前記雑用水槽内のダクト内に通すことなく取り入れるための非熱交換流路を備え、前記熱交換機能部が、雑用水および外気の温度を測定する温度測定部と、この測定された雑用水および外気の温度を比較して前記熱交換が有用でないときには外気を非熱交換流路に通すように切り換える流路切換部とを備えるようにしてもよい（請求項５）。
【発明の効果】
【００１４】
第１発明および第２発明の自然熱利用システムの構成によれば、ごく一般的に建築物に備えつけられる雑用水槽内の雑用水を有効に活用して、外気の冷却（または加熱）を行なうことができるので、従来の雨水槽のように別途の水槽を形成する必要がなく、それだけ施工コストを削減することができる。
【００１５】
とりわけ、都心部に建設される建築物では、雑用水槽内に供給される水は地下に配置された水道管を通って供給される水道水であるから、水道管を介して所定深さの土によって冷却（または加熱）された水道水の熱を用いて、外気との熱交換を行なうことができる。つまり、地下に配置されている水道管の温度変化は、外気の温度変化に対して緩慢であり、かつ、僅かな温度変化が生じるとしても外気の温度変化に対して遅れるので、雑用水として供給される水道水の温度と、外気の温度との間には温度差が生じる。この温度差を利用して外気と熱交換することにより空調設備の効率を効果的に改善することができる。
【００１６】
また、雑用水槽内に供給される水が水道水であれば、殺菌処理されており、かつ、雑用水槽は通常、水が滞留することがないように設計されるものであるから、この雑用水槽内の衛生状態を確保することができるので、衛生状態を保つためのメンテナンスをほゞ無くすことができる。さらに、都心部に建設される建築物に多い商業施設やオフィスを含むビルにおいては、雑用水は上水よりも多量に使用される。つまり、雑用水槽内の水は常に流れて入れ替わっているので、雑用水槽内の水と外気との温度差を常に大きく保つことができる。
【００１７】
しかしながら、本発明の雑用水に用いられる水は水道水だけであることに限定されるものではなく、雨水などを混合して用いることも可能であることはいうまでもない。何れの場合にも雑用水槽内の水は常時入れ替わっているので、雨水を長期間に渡って貯留するものに比べて衛生的である。
【００１８】
とりわけ、夏季の外気温が高い時間帯には、空調機器の冷却水や散水などにも大量の雑用水が使用され、ますます雑用水の使用量が多くなるので、それだけ冷却効率が高くなる。そして、雑用水は上水のように人体に直接接することが少ないので、その温度がいくらか変化しても不快に感じることがない。
【００１９】
加えて、請求項２の自然熱利用システムのように、外気の流れと雑用水の流れを対向させる場合には、熱交換装置の原理に従った効率的な熱の授受を行なうことができる。
【００２０】
第３発明および第４発明の自然熱利用システムの構成によれば、通称「ビルピット」と呼ばれる建築物の基礎部分に設けられたデッドスペースである地下ピットを活用して、この地下ピットに防水加工を施すことにより、十分な容積の雑用水槽を形成できるので、雑用水槽内の設置にかかるコストを必要最小限に抑えて、施工コストを削減することができる。
【００２１】
また、地下ピットは建築物の基礎として、建築物の直下においてこれを支えることができる程度に深く掘削した部分、つまり、地表からより離れた位置に形成される。また、地下ピットは建築物を支えるために地下深くまで埋設させた支柱に連設するものであるから、それだけ地下ピットおよびその周辺の地盤の温度は外気の影響を受けにくくなる。したがって、この地下ピットを用いて形成された雑用水槽内に供給された水も、季節の温度変化がほとんどない所定温度に冷却（または加熱）され、それだけ前記熱交換の効率が良くなる。
【００２２】
とりわけ、雑用水が水道水であれば、雑用水槽に供給される水の温度が水道管を介して土によって冷却（または加熱）されているので、外気と雑用水との間に十分な温度差を得ることができ、この温度差を利用して外気と熱交換することにより空調設備の効率を効果的に改善することができる。そして、従来のような雨水の貯留槽を形成する場合に比べて格段に衛生的であり、メンテナンスを簡易とすることができる。
【００２３】
さらに、雑用水は上水よりも多量に使用される場合が多く、とりわけ、夏季の外気温が高い時間帯には多量の雑用水が必要となるので、雑用水槽内の水と外気との温度差を常に大きく保つことができ、それだけ冷却効率が高くなる。そして、雑用水は上水のように人体に直接接することが少ないので、その温度がいくらか変化しても不快に感じることがない。
【００２４】
逆に冬季には夜間に雑用水の使用量は激減するので、雑用水槽に貯留した雑用水の温度が地下ピットを介して地盤から伝わる熱によって上昇し、この温度上昇した雑用水を用いて、朝の空調機器の立ち上げ始動時において外気を予備加熱することにより、空調機器の立ち上げ運転時の効率改善を行なうことができる。
【００２５】
加えて、請求項４の自然熱利用システムのように、外気の流れと雑用水の流れを対向させる場合には、熱交換装置の原理に従った熱の授受を効率的に行なうことができる。
【００２６】
外気を前記雑用水槽内のダクト内に通すことなく取り入れるための非熱交換流路を備え、前記熱交換機能部が、雑用水および外気の温度を測定する温度測定部と、この測定された雑用水および外気の温度を比較して前記熱交換が有用でないときには外気を非熱交換流路に通すように切り換える流路切換部とを備えてなる場合（請求項５）には、雑用水と外気の温度差が熱交換によって各種空調機器の効率を改善できる程度に有用なものであるときには、ダクト内に外気を取り入れる一方、雑用水と外気の温度差が有用でないときには、外気を非熱交換流路に通すことにより、自然熱が利用できるときのみこれを利用することができる。
【発明を実施するための最良の形態】
【００２７】
図１〜図４は、本発明の自然熱利用システム１の実施例を示し、図１は、自然熱利用システム１の全体的な構成を示す図であり、図２は前記自然熱利用システム１の熱交換部２の主要な構成を示す平面図、図３はこの熱交換部２の要部を拡大して示す平面図、図４は熱交換部２の側面図である。また、図５は本発明の自然熱利用システム１において利用する夏の外気温度の変化と水道水の温度変化の関係を示す図である。
【００２８】
図１において、１０は例えばオフィスビルなどの建築物（以下、単にビル１０という）、１１はこのビル１０の雑用水槽、１２は受水槽、１３は雑用水槽１１および受水槽１２に水道水を供給する水道管、１４は受水槽１２から上水Ｗａをビル１０内の各部に飲料用または洗面用として供給するための上水用水道管、１５は上水Ｗａを送り出すためのポンプ、１６は雑用水槽１１から雑用水Ｗｂを植物や路面への散水やトイレの洗浄水や空調装置の冷却水等として供給するための雑用水用水道管、１７は雑用水Ｗｂを送り出すためのポンプ、１８は外気ＯＡを取り入れて各部の空調機器１９Ａ〜１９Ｃに供給するためのダクトである。
【００２９】
したがって、前記雑用水槽１１と、熱交換流路１８Ａ（ダクト）が熱交換部２の主要部分を構成する。
【００３０】
また、２０は自然熱利用システム１の制御部、２１は雑用水槽１１内の雑用水Ｗｂの温度を測定する温度計、２２は外気ＯＡの温度を測定する温度計、１８Ａおよび１８Ｂは前記ダクト１８の雑用水槽１１よりも上流側の分岐点Ｐａにおいて分岐すると共に雑用水槽１１よりも下流側の連結点Ｐｂに連結する熱交換流路および非熱交換流路、２３は前記制御部２０によって制御されて、外気ＯＡを雑用水槽１１内の熱交換流路１８Ａまたは非熱交換流路１８Ｂの何れか一方に択一的に流すための３方弁（３方切り替えダンパ）である。
【００３１】
したがって、前記制御部２０と、温度計２１，２２と、ダクト１８（１８Ａ，１８Ｂ）と、３方弁２３が本実施例の熱交換機能部３の主要部分を構成し、制御部２０と３方弁２３が流路切換部として機能する。なお、前記流路切換部として、前述の３方弁２３の代わりに熱交換流路１８Ａおよび非熱交換流路１８Ｂのそれぞれに切り替えダンパを設け、両切り替えダンパの切り替え制御によって、熱交換流路１８Ａまたは非熱交換流路１８Ｂの何れか一方に外気ＯＡを流すようにしてもよいことはいうまでもない。
【００３２】
本実施例に示すビル１０は、例えば地下水を汲み上げて使用することができないような都心部に建設されたオフィスビルである。したがって、雑用水Ｗｂとして水道管１３から供給される水道水を用いる例を示している。しかしながら、本発明はビル１０の建設場所が都心部であることに限定されるものでも、水道水が雑用水Ｗｂであることに限定されるものでもない。つまり、前記ビル１０を地下水が利用できる環境に建設する場合には、この地下水を雑用水Ｗｂとして利用することにより、本願発明はさらに効率的な熱交換を行なうことができる。
【００３３】
前記雑用水槽１１はビル１０を支持する土台である基礎部分に形成された多数の未利用空間である地下ピット１０ａのうち任意のものを選択し、その内部に前記ダクト１８の熱交換流路１８Ａを通した状態で防水加工を施すことによって形成されるものである。また、本実施例に示すビル１０には地下階が形成されているので、地下ピット１０ａの高さ位置は地表ＧＬに対して数メートル以上掘削した位置に配置される。
【００３４】
つまり、地下ピット１０ａはビル１０の直下にあり、外気が直接接触しないだけでなく、地表ＧＬよりも十分に低い位置に配置できるので、それだけ、地下ピット１０ａを用いて形成される雑用水槽１１の温度は外気の温度変化の影響を受けにくくなる。また、地下ピット１０ａはビル１０の建設に際して必然的に形成されるものであるから、十分な容積を有する雑用水槽１１を極めて低コストにて形成することができる。なお、本発明はビル１０が地下階を有するものであることに限定されるものではない。
【００３５】
加えて、図１には詳細に図示していないが、ビル１０の建設の際には、地下深くまで掘削して支柱を埋設し、この支柱に連設するようにして強固な基礎部分を形成することが行われ、地下ピット１０ａの外側面部は地盤Ｇに密着している。したがって、地下ピット１０ａの温度は年中温度変化の少ない周囲の地盤Ｇに加えて、この支柱によるさらに下層部分の地盤Ｇとの熱伝導も相まって、より季節変動の少ない一定温度となる。
【００３６】
これらに加えて、前記水道管１３は地表ＧＬから所定深さの位置に埋設される水道管（水道本管）１３Ａから水道水を引き込むものである。したがって、水道管１３を流れる水道水の温度は、水道本管１３Ａの深さや水道局からビル１０までの距離にもよるが、季節変動が少なく一定温度に近いものとなる。
【００３７】
図５は都心部における夏季の外気ＯＡの温度変化と水道水の温度変化の一般的な例を示す図である。図５に示すように、夏季の外気ＯＡが最高３５℃程度まで急激な温度上昇したとしても水道水の温度変化はほゞ一定であり、たとえ外気の温度変化の影響で水道水の温度が変動することがあったとしても、外気よりは確実に温度変化が小さく都心部であっても最高で２２℃程度（平均２０．５℃程度）であり、また、外気の温度変化よりも遅れた温度変化をする。したがって、最も外気ＯＡの冷却を行なう必要がある時間帯（日中）において水道水と外気との間には十分な温度差Ｄが生じる。
【００３８】
さらに、夏季の日中には空調機器１９Ａ〜１９Ｃを駆動するためにその室外機１９Ｚの水冷のために多くの水を必要としたり、ビル１０周辺の植物への散水も必要となるので、雑用水Ｗｂの使用量が必然的に多くなる。これによって雑用水槽１１内にはいつも多量の水道水が流れることとなり、外気ＯＡと雑用水Ｗｂの温度差を適正に保って、十分な熱交換を行なうことができる。さらに、地下ピット１０ａの温度は年中ほゞ一定（１５〜１６℃）であるから、雑用水槽１１の壁面によって雑用水Ｗｂの熱が吸収されてその温度を低下させることもできる。
【００３９】
一方、冬季の外気ＯＡ温度は最も低い早朝の時点で０℃前後になることがあるが、地下ピット１０ａの温度が１５〜１６℃の一定であるから、夜間に雑用水槽１１内に貯留した雑用水Ｗｂの温度が上昇する。つまり、早朝の最も冷え込む時間帯において雑用水槽１１内に貯留した雑用水Ｗｂを用いて外気ＯＡの予備加熱を行なって暖房の立ち上げ運転の補助として十分に用いることができる。また、冬季の雑用水Ｗｂの使用量は夏季よりは少ないので、雑用水槽１１の熱伝達による地盤Ｇ側の熱をよりよく雑用水Ｗｂに伝達して外気ＯＡを予備加熱することができる。すなわち、冬季においても夏季においても自然熱を利用して必要なときに十分な熱交換を行なうことができる。
【００４０】
表１は冬季と夏季における雑用水Ｗｂの使用量と、空調機器１９Ａ，１９Ｂ…の運転状態と、熱交換部２によって利用する自然熱の温度関係を説明する表である。
【表１】
2006170456.tif 000003
【００４１】
図２〜４は雑用水槽１１内の構成をさらに詳しく示すものであり、図２に示す、１１ａは前記水道管１３の下流端に設けられた雑用水Ｗｂの流入口、１１ｂは雑用水Ｗｂの流出口である。図２に示すように、雑用水槽１１には雑用水Ｗｂの滞留部分が生じないようにするために、雑用水Ｗｂの流入口１１ａと流出口１１ｂが角部に離れて設けられている。これによって、矢印Ｆｗに示す雑用水Ｗｂの流れが形成されている。
【００４２】
一方、前記熱交換流路１８Ａは、外気ＯＡを流出口１１ｂ側から流入口１１ａ側に通気させるように蛇行状に配置してある。これによって矢印Ｆａに示す全体的な外気ＯＡの流れが形成されている。すなわち、外気ＯＡを熱交換流路１８Ａ内に雑用水Ｗｂの流れＦｗと対向する方向Ｆａに通すことにより雑用水槽１１内の雑用水Ｗｂとの間で効率的な熱交換を行わせることができる。そして、熱交換流路１８Ａは雑用水槽１１の内側面からそれぞれ０．５ｍ離れた位置に配置してある。
【００４３】
また、図３に示すように、熱交換流路１８Ａを構成するダクト１８は、例えば、塩化ビニールからなる直径１ｍの管状の直管１８ａと、ほゞ直角に湾曲したエルボ管１８ｂを複数組み合わせることにより、蛇行状に形成してある。これらの直管１８ａとエルボ管１８は何れも基本的なダクトとして汎用的に使用されているものであるから、熱交換流路１８Ａを低コストにて形成することができる。
【００４４】
なお、熱交換流路１８Ａは水に対する耐腐蝕性を有するものであり、水圧によって破損しないものであればよいが、熱伝導率が高い方が好ましく、これらの条件に合う材料であれば、塩化ビニール以外の材料を用いて形成されていてもよい。また、熱交換流路１８Ａを蛇行状に配置することにより、雑用水Ｗｂとの接触面積を大きくして熱交換部２の効率を向上しているが、これを渦巻き状やループ状など他の形状に形成してあってもよい。
【００４５】
図４に示すように、本実施例の雑用水槽１１内の最大高さが２．５ｍであるとすると、水深は例えば２ｍであり、前記熱交換流路１８Ａの高さ位置を雑用水Ｗｂの水面および雑用水槽１１の底面からそれぞれ０．５ｍ離れた位置に配置してある。
【００４６】
すなわち、熱交換流路１８Ａの周囲は少なくとも０．５ｍは雑用水Ｗｂで覆われることになり、この雑用水Ｗｂの流れによって熱交換流路１８Ａが冷却（または加熱）されるので熱交換部２は十分な熱交換を行なうことができる。
【００４７】
前記空調機器１９Ａ，１９Ｂ，…は例えば熱交換換気扇や換気機能を有する冷暖房機器であり、外気ＯＡを熱交換部２によって冷却（または加熱）してから各空調機器１９Ａ，１９Ｂ，…に送り込むことによって、より効率的な空調を行なうことを可能としている。しかしながら、外気ＯＡは空調機器１９Ａ，１９Ｂ，…を介することなく各部に送り込まれるようにしてもよいことはいうまでもない。
【００４８】
前記制御部２０は、温度計２１，２２によって測定した外気ＯＡの温度と、雑用水槽１１内の雑用水Ｗｂの温度とを比較して３方弁２３を切り換えることにより、外気ＯＡを熱交換流路１８Ａまたは非熱交換流路１８Ｂの何れか一方に通すように制御する。
【００４９】
すなわち、外気ＯＡが冷たい冬季には、熱交換部２による予備加熱を行うことができる程度に雑用水Ｗｂの温度が外気ＯＡの温度より高い場合に熱交換流路１８Ａ側に通し、雑用水Ｗｂの温度が低い場合には非熱交換流路１８Ｂ側に通すように３方弁２３を切換え制御することができる。同様に、外気ＯＡの温度が高い夏季には、熱交換部２による冷却を行うことができる程度に雑用水Ｗｂの温度が外気ＯＡの温度より低い場合に熱交換流路１８Ａ側に通し、雑用水Ｗｂの温度が高い場合には非熱交換流路１８Ｂ側に通すように３方弁２３を切換え制御する。これによって、利用できる有用な温度差がある場合にのみ自然熱を利用することが可能となり、より効率的な空調管理を行なうことができる。
【図面の簡単な説明】
【００５０】
【図１】本発明の実施例に係る自然熱利用システムの構成を説明する図である。
【図２】前記自然熱利用システムの熱交換部の構成を示す平面図である。
【図３】前記熱交換部のより詳細な構成を示す平面図である。
【図４】前記熱交換部の構成を示す側面図である。
【図５】外気の温度と水道水の温度変化を示す図である。
【符号の説明】
【００５１】
１          自然熱利用システム
３          熱交換機能部
１０        建築物
１０ａ      地下ピット
１１        雑用水槽
１８Ａ      ダクト
２０，２３  流路切換部
２１，２２  温度測定部
Ｆａ        外気の流れ
Ｆｗ        雑用水の流れ
Ｇ          地盤
ＯＡ        外気
Ｗｂ        雑用水
【図１】
2006170456.tif 000004
【図２】
2006170456.tif 000005
【図３】
2006170456.tif 000006
【図４】
2006170456.tif 000007
【図５】
2006170456.tif 000008